(57)【要約】 【課題】  撮像素子の撮像方向に依存せずに、的確にピント調整等の撮像条件の制御を行うことができる撮像装置および撮像方法を提供する。【解決手段】  ＧＰＳ識別番号登録手段１０２は、ＧＰＳセンサの登録時に、ロータリースイッチ１０３の状態とＧＰＳセンサの識別番号とを関係付けて登録する。ＧＰＳ識別番号選択手段１０４は、撮影時に、ユーザによって選択されたＧＰＳセンサの識別番号を位置情報入手手段１０６へ出力する。位置情報入手手段１０６は、この識別番号と、無線入力手段１０５から入力されたフィールド座標とに基づいて、特定のＧＰＳセンサのフィールド座標を選択する。距離算出部１０８は、このフィールド座標と、ＧＰＳセンサ１０７のフィールド座標とに基づいて、距離Ｌ１およびＬ２を算出し、ピント制御手段１０９へ出力する。ピント制御手段１０９は、ピント距離がＬ２になるように、レンズ群１１０のピントを制御する。【選択図】    図１
2005266520.tif 000002
【特許請求の範囲】
【請求項１】
被写体の像を光電変換することにより被写体を撮影する撮像手段と、
前記被写体に設けられ、該被写体の位置を検出する位置検出手段と、
該位置検出手段を識別可能に登録する登録手段と、
前記位置検出手段によって検出された前記被写体の位置に関する位置情報を取得する取得手段と、
該取得手段によって取得された前記位置情報の中から、前記登録手段によって登録された前記位置検出手段によって検出された前記位置情報を選択する第１の選択手段と、
該第１の選択手段によって選択された前記位置情報に基づいて、前記撮像手段による撮像条件を設定する撮像条件制御手段と、
を具備することを特徴とする撮像装置。
【請求項２】
被写体に設けられ、該被写体の位置を検出する位置検出手段によって検出された前記被写体の位置に基づいて、該被写体の撮像条件を制御する撮像装置であって、
被写体の像を光電変換することにより被写体を撮影する撮像手段と、
前記位置検出手段を識別可能に登録する登録手段と、
前記位置検出手段によって検出された前記被写体の位置に関する位置情報を取得する取得手段と、
該取得手段によって取得された前記位置情報の中から、前記登録手段によって登録された前記位置検出手段によって検出された前記位置情報を選択する第１の選択手段と、
該第１の選択手段によって選択された前記位置情報に基づいて、前記撮像手段による撮像条件を設定する撮像条件制御手段と、
を具備することを特徴とする撮像装置。
【請求項３】
前記位置検出手段は、ＧＰＳセンサであることを特徴とする請求項１または請求項２に記載の撮像装置。
【請求項４】
前記位置検出手段は複数設けられ、各々の位置検出手段に対して、該位置検出手段を識別するための識別情報が付与されていることを特徴とする請求項１〜請求項３のいずれかの項に記載の撮像装置。
【請求項５】
前記登録手段によって登録された前記位置検出手段の中から、ユーザによって指定された特定の前記位置検出手段を選択する第２の選択手段をさらに具備し、
前記第１の選択手段は、前記取得手段によって取得された前記位置情報の中から、前記第２の選択手段によって選択された前記位置検出手段に係る前記位置情報を選択する
ことを特徴とする請求項１〜請求項４のいずれかの項に記載の撮像装置。
【請求項６】
ユーザによって指定される特定の前記位置検出手段の切り替えを行うスイッチをさらに具備し、
前記第２の選択手段は、前記スイッチの状態に基づいて、特定の前記位置検出手段を選択する
ことを特徴とする請求項５に記載の撮像装置。
【請求項７】
前記登録手段はさらに、前記スイッチの状態と前記位置検出手段とを関係付けることにより、前記位置検出手段を識別可能に登録することを特徴とする請求項６に記載の撮像装置。
【請求項８】
前記撮像条件制御手段は、前記第１の選択手段によって選択された前記位置情報に基づいて、焦点距離を設定することを特徴とする請求項１〜請求項７のいずれかの項に記載の撮像装置。
【請求項９】
前記撮像条件制御手段は、前記第１の選択手段によって選択された前記位置情報に基づいて、画角を設定することを特徴とする請求項１〜請求項７のいずれかの項に記載の撮像装置。
【請求項１０】
前記撮像手段によって撮影された画像と共に、該画像中に前記位置検出手段を表示する表示手段をさらに具備することを特徴とする請求項１〜請求項９のいずれかの項に記載の撮像装置。
【請求項１１】
前記被写体に設けられ、該被写体の位置を検出する位置検出手段を識別可能に登録するステップと、
前記位置検出手段によって検出された前記被写体の位置に関する位置情報を取得するステップと、
取得した前記位置情報の中から、登録した前記位置検出手段によって検出された前記位置情報を選択するステップと、
選択した前記位置情報に基づいて、被写体の像を光電変換することにより被写体を撮影する撮像手段による撮像条件を設定するステップと、
前記撮像手段により被写体を撮影するステップと、
を具備することを特徴とする撮像方法。
【請求項１２】
前記位置検出手段は、ＧＰＳセンサであることを特徴とする請求項１１に記載の撮像方法。
【請求項１３】
前記位置検出手段は複数設けられ、各々の位置検出手段に対して、該位置検出手段を識別するための識別情報が付与されていることを特徴とする請求項１１または請求項１２に記載の撮像方法。
【請求項１４】
ユーザによって入力された前記位置検出手段の識別情報に基づいて、登録された前記位置検出手段の中から特定の前記位置検出手段を選択する選択ステップをさらに具備し、
取得した前記位置情報の中から、登録した前記位置検出手段によって検出された前記位置情報を選択するステップにおいては、前記選択ステップにおいて選択した特定の前記位置検出手段によって検出された前記位置情報を選択する
ことを特徴とする請求項１１〜請求項１３のいずれかの項に記載の撮像方法。
【請求項１５】
前記撮像条件を設定するステップにおいては、選択した前記位置情報に基づいて、選択した前記位置検出手段が設けられた前記被写体に対する焦点制御を行うことを特徴とする請求項１１〜請求項１４のいずれかの項に記載の撮像方法。
【請求項１６】
前記撮像条件を設定するステップにおいては、選択した前記位置情報に基づいて、選択した前記位置検出手段が設けられた前記被写体が前記撮像手段によって撮影された画像に含まれるように画角を調整することを特徴とする請求項１１〜請求項１４のいずれかの項に記載の撮像方法。
【請求項１７】
前記選択ステップにおいてはさらに、前記撮像手段のファインダ内に表示された前記位置検出手段の中から特定の前記位置検出手段を選択することを特徴とする請求項１１〜請求項１６のいずれかの項に記載の撮像方法。
【発明の詳細な説明】
【技術分野】
【０００１】
本発明は、被写体の像を光電変換することにより被写体を撮影する撮像装置および撮像方法に関し、特に、ピント調整等の撮像条件に関する制御の改善を図った撮像装置および撮像方法に関する。
【背景技術】
【０００２】
従来、ＧＰＳ（Ｇｌｏｂａｌ  Ｐｏｓｉｔｉｏｎｉｎｇ  Ｓｙｓｔｅｍ）による測位装置をカメラに備え、撮像時の位置を測定することができる技術が開示されている（例えば特許文献１参照）。また、被写体に赤外線発信器を装着させ、この赤外線発信器からの赤外光をカメラが受信し、カメラの撮像方向に対しての相対的な被写体の位置を検出することができる技術が開示されている（例えば特許文献２参照）。
【特許文献１】特開２００１−１６６３６６号公報
【特許文献２】特開平９−７４５０５号公報
【発明の開示】
【発明が解決しようとする課題】
【０００３】
従来の撮像装置においては、撮像領域の中心に被写体を配置して被写体までの距離を測定する技術が普及しているものの、被写体が撮像領域の中心に配置されていない場合であっても被写体までの距離を測定することができる技術、すなわちカメラの撮像方向に依存せずに被写体までの距離を測定することができる技術は提供されていなかった。また、従来の撮像装置においては、連続撮影の際に被写体の移動に伴ってピント調整を行う場合に、そのために被写体までの距離を測定することが難しかった。
【０００４】
本発明は、上述した問題点に鑑みてなされたものであって、撮像素子の撮像方向に依存せずに、的確にピント調整等の撮像条件の制御を行うことができる撮像装置および撮像方法を提供することを目的とする。
【課題を解決するための手段】
【０００５】
本発明は上記の課題を解決するためになされたもので、請求項１に記載の発明は、被写体の像を光電変換することにより被写体を撮影する撮像手段と、前記被写体に設けられ、該被写体の位置を検出する位置検出手段と、該位置検出手段を識別可能に登録する登録手段と、前記位置検出手段によって検出された前記被写体の位置に関する位置情報を取得する取得手段と、該取得手段によって取得された前記位置情報の中から、前記登録手段によって登録された前記位置検出手段によって検出された前記位置情報を選択する第１の選択手段と、該第１の選択手段によって選択された前記位置情報に基づいて、前記撮像手段による撮像条件を設定する撮像条件制御手段とを具備することを特徴とする撮像装置である。
【０００６】
請求項２に記載の発明は、被写体に設けられ、該被写体の位置を検出する位置検出手段によって検出された前記被写体の位置に基づいて、該被写体の撮像条件を制御する撮像装置であって、被写体の像を光電変換することにより被写体を撮影する撮像手段と、前記位置検出手段を識別可能に登録する登録手段と、前記位置検出手段によって検出された前記被写体の位置に関する位置情報を取得する取得手段と、該取得手段によって取得された前記位置情報の中から、前記登録手段によって登録された前記位置検出手段によって検出された前記位置情報を選択する第１の選択手段と、該第１の選択手段によって選択された前記位置情報に基づいて、前記撮像手段による撮像条件を設定する撮像条件制御手段とを具備することを特徴とする撮像装置である。
【０００７】
請求項３に記載の発明は、請求項１または請求項２に記載の撮像装置において、前記位置検出手段は、ＧＰＳセンサであることを特徴とする。
【０００８】
請求項４に記載の発明は、請求項１〜請求項３のいずれかの項に記載の撮像装置において、前記位置検出手段は複数設けられ、各々の位置検出手段に対して、該位置検出手段を識別するための識別情報が付与されていることを特徴とする。
【０００９】
請求項５に記載の発明は、請求項１〜請求項４のいずれかの項に記載の撮像装置において、前記登録手段によって登録された前記位置検出手段の中から、ユーザによって指定された特定の前記位置検出手段を選択する第２の選択手段をさらに具備し、前記第１の選択手段は、前記取得手段によって取得された前記位置情報の中から、前記第２の選択手段によって選択された前記位置検出手段に係る前記位置情報を選択することを特徴とする。
【００１０】
請求項６に記載の発明は、請求項５に記載の撮像装置において、ユーザによって指定される特定の前記位置検出手段の切り替えを行うスイッチをさらに具備し、前記第２の選択手段は、前記スイッチの状態に基づいて、特定の前記位置検出手段を選択することを特徴とする。
【００１１】
請求項７に記載の発明は、請求項６に記載の撮像装置において、前記登録手段はさらに、前記スイッチの状態と前記位置検出手段とを関係付けることにより、前記位置検出手段を識別可能に登録することを特徴とする。
【００１２】
請求項８に記載の発明は、請求項１〜請求項７のいずれかの項に記載の撮像装置において、前記撮像条件制御手段は、前記第１の選択手段によって選択された前記位置情報に基づいて、焦点距離を設定することを特徴とする。
【００１３】
請求項９に記載の発明は、請求項１〜請求項７のいずれかの項に記載の撮像装置において、前記撮像条件制御手段は、前記第１の選択手段によって選択された前記位置情報に基づいて、画角を設定することを特徴とする。
【００１４】
請求項１０に記載の発明は、請求項１〜請求項９のいずれかの項に記載の撮像装置において、前記撮像手段によって撮影された画像と共に、該画像中に前記位置検出手段を表示する表示手段をさらに具備することを特徴とする。
【００１５】
請求項１１に記載の発明は、前記被写体に設けられ、該被写体の位置を検出する位置検出手段を識別可能に登録するステップと、前記位置検出手段によって検出された前記被写体の位置に関する位置情報を取得するステップと、取得した前記位置情報の中から、登録した前記位置検出手段によって検出された前記位置情報を選択するステップと、選択した前記位置情報に基づいて、被写体の像を光電変換することにより被写体を撮影する撮像手段による撮像条件を設定するステップと、前記撮像手段により被写体を撮影するステップとを具備することを特徴とする撮像方法である。
【００１６】
請求項１２に記載の発明は、請求項１１に記載の撮像方法において、前記位置検出手段は、ＧＰＳセンサであることを特徴とする。
【００１７】
請求項１３に記載の発明は、請求項１１または請求項１２に記載の撮像方法において、前記位置検出手段は複数設けられ、各々の位置検出手段に対して、該位置検出手段を識別するための識別情報が付与されていることを特徴とする。
【００１８】
請求項１４に記載の発明は、請求項１１〜請求項１３のいずれかの項に記載の撮像方法において、ユーザによって入力された前記位置検出手段の識別情報に基づいて、登録された前記位置検出手段の中から特定の前記位置検出手段を選択する選択ステップをさらに具備し、取得した前記位置情報の中から、登録した前記位置検出手段によって検出された前記位置情報を選択するステップにおいては、前記選択ステップにおいて選択した特定の前記位置検出手段によって検出された前記位置情報を選択することを特徴とする。
【００１９】
請求項１５に記載の発明は、請求項１１〜請求項１４のいずれかの項に記載の撮像方法において、前記撮像条件を設定するステップにおいては、選択した前記位置情報に基づいて、選択した前記位置検出手段が設けられた前記被写体に対する焦点制御を行うことを特徴とする。
【００２０】
請求項１６に記載の発明は、請求項１１〜請求項１４のいずれかの項に記載の撮像方法において、前記撮像条件を設定するステップにおいては、選択した前記位置情報に基づいて、選択した前記位置検出手段が設けられた前記被写体が前記撮像手段によって撮影された画像に含まれるように画角を調整することを特徴とする。
【００２１】
請求項１７に記載の発明は、請求項１１〜請求項１６のいずれかの項に記載の撮像方法において、前記選択ステップにおいてはさらに、前記撮像手段のファインダ内に表示された前記位置検出手段の中から特定の前記位置検出手段を選択することを特徴とする。
【発明の効果】
【００２２】
本発明によれば、被写体に装着された位置検出手段を撮影前に登録し、撮影時に、登録された位置検出手段によって検出された位置情報を選択し、その位置情報に基づいて撮像条件を設定するようにしたので、撮像素子の撮像方向に依存せずに、的確に撮像条件の制御を行うことができるという効果が得られる。
【発明を実施するための最良の形態】
【００２３】
以下、図面を参照し、本発明を実施するための最良の形態について説明する。まず、本実施形態で用いられる用語を以下のように定義する。
注目対象：カメラで撮影し、画像を出力させたい対象物や人、あるいはその一部を示す。
注目点：注目対象に含まれる点、あるいは注目対象近傍の点であり、後述するＧＰＳセンサ等のセンサの検出対象を示す。これは点に限定されるものではなく、検出方法によっては所定の範囲を有する場合もある。
【００２４】
フィールド空間：注目対象が存在する空間であり、センサ等によって、注目対象が含まれる位置を示す位置情報を検出することができる空間（領域）を示す。
フィールド座標：フィールド空間内に存在する注目点等の位置を、フィールド空間内の所定の基準位置に対する相対的な位置の位置情報として特定することができる１つの座標系を示す。この座標系は、Ｘ，Ｙ，Ｚ軸で表現される座標系である。
撮像領域：カメラごとの撮像領域を示す。また、カメラの視野範囲にあり、さらに、カメラの光学系におけるピント調整の度合が所定レベル以上である領域を示す。原則として、カメラはフィールド空間内を撮影する。
【００２５】
カメラ座標：カメラの全撮像領域の画角を規定する線の交点を原点として、撮像方向を軸（ｋ軸）の１つとした座標系を示す。この座標系は、図５のｉ，ｊ，ｋ空間である。また、ここで、画角を規定する線とは、図５に示されるような、ＣＣＤ（Ｃｈａｒｇｅ  Ｃｏｕｐｌｅｄ  Ｄｅｖｉｃｅ）などの撮像素子の端の画素に結像する撮像領域を立体的に形づける線を示す。本実施形態においては、撮像素子平面の横方向に平行な軸ｉと、撮像素子平面の縦方向に平行な軸ｊと、撮像方向を示す軸ｋとの３つの軸によって表現される座標系を示す。
【００２６】
カメラ空間：カメラ座標を用いてカメラに対する位置を特定することができる空間を示す。
撮像素子平面座標：ＣＣＤなどの撮像素子が出力する画像データの横方向に関わる軸Ｘｃと縦方向に関わる軸Ｙｃとの２つの軸によって規定され、撮像素子の中心を原点とする座標系を示す。ただし、原点の位置は撮像素子の中心に限定されず、例えば左上の画素位置であってもよい。
【００２７】
図１は、本発明の一実施形態による撮像装置の構成を示すブロック図である。図において、１はカメラ（撮像装置）である。本実施形態においては、カメラ１が静止画を撮影するためのカメラであるとして説明を行う。カメラ１は被写体に装着されたＧＰＳセンサ２０１から被写体の位置情報を取得し、その位置情報に基づいて被写体までの距離を算出し、その距離に基づいて、ピント等の撮像条件の制御を行う。３は基地局であり、被写体が備えるＧＰＳセンサ２０１やカメラ１が備えるＧＰＳセンサ１０７と無線通信を行う。ＧＰＳセンサ２０１は図示せぬＧＰＳ受信機や送信部等を備え、ＧＰＳ衛星から受信する信号に基づいて測位を行う。なお、図１には、被写体に装着されたＧＰＳセンサとしてＧＰＳセンサ２０１のみが図示されているが、被写体は複数であり、各被写体にＧＰＳセンサが装着されているものとする。
【００２８】
カメラ１において１０１は、ユーザによって操作される識別番号入力手段である。ユーザによって、登録したい１以上のＧＰＳセンサ（例えばＧＰＳセンサ２０１）の識別番号が識別番号入力手段１０１から入力される。識別番号入力手段１０１は、例えばカメラ１に対して着脱可能に構成されたキーボードであり、ＧＰＳセンサの登録を行う場合にカメラ１に対して接続され、撮影を行う場合はカメラ１から取り外される。あるいは、識別番号入力手段１０１が赤外線等による無線通信機能を備え、ＧＰＳセンサの識別番号が無線によって入力されるようにしてもよい。１０２はＧＰＳ識別番号登録手段であり、識別番号入力手段１０１から入力されたＧＰＳセンサの識別番号を、図示せぬメモリ等に登録する。
【００２９】
１０３は、後述するロータリースイッチであり、ＧＰＳセンサの識別番号を登録する場合および特定のＧＰＳセンサを選択して撮影を行う場合に、ユーザによって操作される。ＧＰＳセンサの識別番号を登録する場合には、ユーザによってロータリースイッチ１０３が所定の位置に切り替えられ（例えば番号１を指すように切り替えられ）、その箇所に対応させたいＧＰＳセンサの識別番号が識別番号入力手段１０１から入力される。ＧＰＳ識別番号登録手段１０２は、ロータリースイッチ１０３の状態と、入力されたＧＰＳセンサの識別番号とを関係付けて、メモリ等に登録する。これにより、例えば番号１にはＧＰＳセンサ２０１が登録されているという情報が記憶される。
【００３０】
また、撮影時に、登録されたＧＰＳセンサの中から特定のＧＰＳセンサを選択したい場合に、ユーザによってロータリースイッチ１０３が操作される。例えば、ユーザが、ＧＰＳセンサ２０１を装着した被写体に焦点等を合わせて撮影したい場合に、ロータリースイッチ１０３を、登録時にＧＰＳセンサ２０１と関係付けた所定の位置に切り替える。以上のように、ロータリースイッチ１０３によって、ＧＰＳセンサの登録時には、ユーザによって指定される複数のＧＰＳセンサを登録することが可能となり、撮影時には、対象となる特定のＧＰＳセンサの切り替えが可能となる。
【００３１】
１０４はＧＰＳ識別番号選択手段であり、撮影時に、ロータリースイッチ１０３の状態を示す情報をロータリースイッチ１０３から受け取り、ユーザによって指定されたＧＰＳセンサを特定する。撮影時にロータリースイッチ１０３は、ユーザによって切り替えられたスイッチの状態を示す情報をＧＰＳ識別番号選択手段１０４へ出力する。例えば、ロータリースイッチ１０３が番号１を指すように切り替えられた場合、ロータリースイッチ１０３は、番号１に切り替えられたことを示す情報をＧＰＳ識別番号選択手段１０４へ出力する。ＧＰＳ識別番号選択手段１０４は、この情報に基づいて、ユーザによって選択されたＧＰＳセンサの識別番号をメモリ等から読み出し、位置情報入手手段１０６へ出力する。
【００３２】
１０５は無線入力手段であり、被写体に装着されたＧＰＳセンサ２０１等のＧＰＳセンサから、基地局３を介して、無線信号を受信し、無線信号に基づいた位置情報（フィールド座標）が入力される。このフィールド座標は位置情報入手手段１０６へ出力される。位置情報入手手段１０６は、ＧＰＳ識別番号選択手段１０４から出力された特定のＧＰＳセンサの識別番号と、無線入力手段１０５から入力されたフィールド座標とに基づいて、ユーザによって指定された特定のＧＰＳセンサによって検出されたフィールド座標を選択する。
【００３３】
ＧＰＳセンサ１０７は、ＧＰＳ測位によって検出したカメラ１の位置情報を距離算出部１０８へ出力する。距離算出部１０８は、位置情報入手手段１０６から出力された、特定のＧＰＳセンサ（例えばＧＰＳセンサ２０１）のフィールド座標と、ＧＰＳセンサ１０７から出力されたフィールド座標とに基づいて、カメラ１と被写体との距離を算出する。図１においては、ＧＰＳセンサ１０７とＧＰＳセンサ２０１との距離がＬ１として示されている。この例においては、距離算出部１０８は距離Ｌ１を算出する。また、距離算出部１０８は、距離Ｌ１に基づいて、ピント制御距離Ｌ２を算出する。
【００３４】
１０９はピント制御手段であり、距離算出部１０８から出力された距離Ｌ２に基づいて、ピント距離がＬ２になるように、レンズ群１１０のピント（焦点）を制御する。なお、レンズ群１１０とＧＰＳセンサ１０７との距離は、レンズ群１１０と被写体との距離に比べて無視できる場合が多い。レンズ群１１０は、ピント制御可能な複数のレンズを備えている。１１１はＣＣＤ等の撮像素子であり、レンズ群１１０によって撮像面の全領域に集光された光に基づいて光電変換を行い、画素ごとの映像信号を出力する。
【００３５】
１１２は出力手段であり、撮像素子１１１から出力されたアナログの映像信号をデジタル信号に変換して出力する。１１３は撮像素子１１１および出力手段１１２を駆動するための駆動手段である。１１４はファインダであり、出力手段１１２から出力されたデジタル信号に基づいて、撮像素子１１１によって撮影された映像を表示する。１１５は位置変換手段であり、位置情報入手手段１０６から出力されたフィールド座標を、撮像素子１１１の撮像面における撮像素子平面座標に変換し、ファインダ１１４へ出力する。ファインダ１１４には、この撮像素子平面座標に対応した画素位置を示す情報（マークや座標値そのものなど）とＧＰＳセンサの識別番号とが、映像信号に同期して表示される。
【００３６】
図２は上記のロータリースイッチ１０３の構成例を説明するためのカメラ１の概観図である。図２（ａ）はカメラ１の側面図、同図（ｂ）は上面図、同図（ｃ）は正面図である。図において、１０３ａはロータリースイッチ１０３の機能を実現するＧＰＳ登録／選択スイッチである。１０３ｂは、ＧＰＳ登録／選択スイッチ１０３ａにおいて、表示番号が印字されている選択スイッチ部である。選択スイッチ部１０３ｂは、上面から見た選択スイッチ部１０３ｂの中心を通るカメラ１の上面の法線を中心として回転するように構成されている。１１６は、撮影時にユーザによって操作されるレリーズボタンである。
【００３７】
ＧＰＳセンサの登録を行う場合には、選択スイッチ部１０３ｂに印字されている表示番号ごとに１つのＧＰＳセンサを登録する。すなわち、ユーザによって選択スイッチ部１０３ｂが回転され、ある表示番号が所定の位置に合わされた状態となる。続いて、この状態で識別番号入力手段１０１からＧＰＳセンサの識別番号が入力される。例えば、ユーザによって選択スイッチ部１０３ｂの番号１が所定の位置に合わされ、番号１に対応させたいＧＰＳセンサの識別番号が識別番号入力手段１０１から入力される。続いて、選択スイッチ部１０３ｂの番号２が所定の位置に合わされ、番号２に対応させたいＧＰＳセンサの識別番号が識別番号入力手段１０１から入力される。以上の操作によって、表示番号ごとにＧＰＳセンサの識別番号が登録される。
【００３８】
また、撮影を行う場合には、ユーザによって選択スイッチ部１０３ｂが操作され、ピントを合わせたい被写体が装着するＧＰＳセンサの識別番号が登録された表示番号が所定の位置に合わされる。続いて、ユーザによってレリーズボタン１１６が半押しされると、カメラ１はピント調整処理を実行する。この場合、カメラ１における無線入力手段１０５では、選択スイッチ部１０３ｂによって選択された表示番号に登録された識別番号のＧＰＳセンサに関する無線信号が受信され、ＧＰＳセンサの位置がフィールド座標として入力される。
【００３９】
ただし、複数のＧＰＳセンサからの無線信号が無線入力手段１０５によって受信される場合がある。その場合、ＧＰＳ識別番号選択手段１０４は、ＧＰＳ登録／選択スイッチ１０３ａの選択スイッチ部１０３ｂで設定されている表示番号と、メモリに登録された情報とに基づいて、特定のＧＰＳセンサの識別番号を位置情報入手手段１０６へ出力する。位置情報入手手段１０６は、この情報に基づいて、複数のＧＰＳセンサのフィールド座標の中から、所定の位置に合わされた選択スイッチ１０３ｂの表示番号に対応したＧＰＳセンサのフィールド座標を選択し、距離算出部１０８へ出力する。
【００４０】
次に、本実施形態によるカメラ１の各部の動作を説明する。図３はカメラ１の動作を示すフローチャートである。まず、ユーザによってロータリースイッチ１０３が所定の位置に切り替えられ、その箇所に対応させたいＧＰＳセンサの識別番号が識別番号入力手段１０１から入力される。ＧＰＳ識別番号登録手段１０２は、ロータリースイッチ１０３の状態とＧＰＳセンサの識別番号とを関係付けて登録する（ステップＳ３０１）。
【００４１】
続いて、撮影時に、ユーザによってロータリースイッチ１０３が操作され、スイッチの切り替えが行われる。ＧＰＳ識別番号選択手段１０４は、ロータリースイッチ１０３の状態を示す情報をロータリースイッチ１０３から受け取り、メモリ等に登録された情報と照合し、ユーザによって指定されたＧＰＳセンサを特定する。ＧＰＳ識別番号選択手段１０４は、ユーザによって選択されたＧＰＳセンサの識別番号をメモリ等から読み出し、位置情報入手手段１０６へ出力する（ステップＳ３０２）。
【００４２】
続いて、無線入力手段１０５は、被写体に装着されたＧＰＳセンサから、基地局３を介して無線信号を受信し、無線信号に基づいた位置情報（フィールド座標）を取得する。無線入力手段１０５はこのフィールド座標を位置情報入手手段１０６へ出力する（ステップＳ３０３）。位置情報入手手段１０６は、ＧＰＳ識別番号選択手段１０４から出力された情報と、無線入力手段１０５から入力されたフィールド座標とに基づいて、ユーザによって指定された特定のＧＰＳセンサによって検出されたフィールド座標を選択する（ステップＳ３０４）。
【００４３】
距離算出部１０８は、位置情報入手手段１０６から出力された、特定のＧＰＳセンサに関するフィールド座標と、ＧＰＳセンサ１０７から出力されたフィールド座標とに基づいて、カメラ１と被写体との距離Ｌ１およびピント制御距離Ｌ２を算出し、ピント制御手段１０９へ出力する。ピント制御手段１０９は、ピント距離がＬ２になるように、レンズ群１１０のピントを制御する（ステップＳ３０５）。撮像素子１１１は、レンズ群１１０によって撮像面の全領域に集光された光に基づいて光電変換を行い、画素ごとの映像信号を出力する（ステップＳ３０６）。
【００４４】
次に、本実施形態におけるピント制御に関して、距離Ｌ１から距離Ｌ２を求める手法について説明する。被写体が撮像素子１１１の撮像面の中心にある場合には、Ｌ１≒Ｌ２である。また、被写体が撮像面の端にある場合は、Ｌ１＞Ｌ２であり、レンズ群１１０の画角２θに対してＬ２＝Ｌ１×ｃｏｓθである。θ＝２５度とすると、Ｌ２≒Ｌ１×０．９で誤差が１０％程度となる。この場合には、最大誤差を最低にするために、撮像面の中心と端との中間に被写体があるとして、Ｌ２＝Ｌ１×０．９５とし、Ｌ２がＬ１から一意に設定されるようにしてもよい。
【００４５】
また、ズーム倍率を上げ、画角θが１０度となった場合には、上記と同様な計算を行うと、誤差は２％になるので、係数を０．９９に設定することにより、１％程度の誤差でＬ１からＬ２を検出することができる。また、ズーム倍率を下げたいわゆる広角撮影の場合には、一定の距離だけ離れた場所全てにピントが合うことになり、Ｌ２＝Ｌ１×０．９として設定されていても、１０％程度の距離の誤差がピントに与える影響は少なくなる。以上のような設定を予め行うことにより、カメラ１に対して被写体が近づいたり遠ざかったりしても、その動きに応じてピント制御を自動的に行うことができる。また、被写体の位置がカメラ１の向きに対して中心であっても、画角の端であっても、適応的にピントを調整することができる。
【００４６】
なお、カメラ１の撮像領域の中心方向（カメラ方向）をフィールド座標として算出することができれば、図１における画角θを知ることができ、上述したような近似式ではなく、Ｌ２＝Ｌ１×ｃｏｓθの関係に基づいて、Ｌ２を算出することができ、精度よくピント制御を行うことができる。例えば、事前にカメラ１の位置および方向とフィールド座標との関係、あるいは撮像領域とフィールド座標との関係を知ることにより、画角θを算出することができる。その後のカメラ１の移動や向きの変更に対して、３次元ジャイロや加速度センサ等により、上記の関係を補正する方法が考えられる。
【００４７】
次に、本実施形態において、ＧＰＳセンサのフィールド座標を撮像素子平面座標に変換する手法（位置変換手段１１５の機能）について説明する。図４は、サッカー場をフィールド空間とした場合の、そのフィールド空間とカメラの撮像領域との相互関係を示している。カメラの撮像領域は、画角を規定する４本の線によって囲まれた空間領域である。画角を規定する４本の線の交点がカメラ座標の原点である。カメラ１の撮像領域内には、選手Ａ，Ｂ，Ｃが存在している。
【００４８】
ｉ，ｊ，ｋ軸は、カメラ１が撮影する方向および／またはカメラ１が撮影する画角を基準とするカメラ座標を示している。カメラの撮像領域における注目点の位置は、フィールドにおける注目点のフィールド座標と、関係情報とに基づいて算出される。関係情報は、フィールド座標をカメラ座標または撮像素子平面座標に変換するための対応関係をテーブルとしたテーブル情報、あるいはその関係を示す座標変換式、あるいはその式を表すパラメータなどである。
【００４９】
以下、図５を参照し、上記の座標変換を行う手法について説明する。図５には、画角を規定する線の交点位置を原点とし、カメラ方向をｋ軸、ＣＣＤ１１１Ａの撮像領域の横方向をｉ方向とするカメラ座標を算出するための３つのセンサの配置関係が示されている。また、カメラ座標における注目点とその注目点を撮像するＣＣＤ１１１Ａの画素との関係がカメラ座標で示されている。
【００５０】
図において、１１０Ａは、レンズ群１１０が備えるレンズである。１１７Ａ〜１１７Ｃは、カメラ１に設けられたＧＰＳセンサ等の位置検出センサである。位置検出センサ１１７Ａ〜１１７Ｃは、各フィールド座標を検出する。図示されるように、位置検出センサ１１７Ａのカメラ空間（図５のｉ軸、ｊ軸、およびｋ軸によって規定される空間）におけるカメラ座標は（０，Ｌ，０）であり、位置検出センサ１１７Ｂのカメラ座標は（０，Ｌ，−ｋ０）であり、位置検出センサ１１７Ｃのカメラ座標は（Ｍ，Ｌ，−ｋ０）である。また、注目点のカメラ座標は（ｋ２／ｋ０×ｐｔ，ｋ２／ｋ０×（−ｐｔ），ｋ２）である。なお、ｐｔはＣＣＤ１１１Ａの撮像平面における画素間ピッチである。
【００５１】
これらの位置検出センサ１１７Ａ〜１１７Ｃを図５に示されるような配置関係にすることにより、前述したテーブル情報または座標変換式等の関係情報を導くことができる。これにより、画角を規定する線の交点位置であるカメラ空間の原点Ｏがフィールドにおける位置として検出可能になる。さらに、カメラの撮影方向やその方向を中心とした撮像画像の回転が検出可能になる。
【００５２】
これにより、画角を規定する線の交点位置であるカメラ空間の原点Ｏと、撮影方向のｋ方向と、回転によって算出される画像の横方向であるｉ方向とを求め、その結果、画像の縦方向であるｊ方向を算出することができる。なお、カメラ１において３つの位置検出用のセンサによって３箇所の位置情報が検出されるとして説明したが、それに限定されるわけではない。例えば、カメラ１の１箇所の位置情報の検出や、別のカメラによるカメラ１の姿勢検出による方向検出、回転検出などを行ってもよい。
【００５３】
ＣＣＤ１１１Ａは、撮像素子１１１が備えるＣＣＤである。ＣＣＤ１１１Ａについては、図５中の画角を規定する線の延長線上（計算上の仮想的なＣＣＤ位置）に実際のサイズのものが配置されている。計算上の仮想的なＣＣＤ位置は、カメラ空間の原点Ｏから距離ｋ０の位置であるとする。また、図５における長さＬ，Ｍを含めた３つの位置検出センサ１１７Ａ〜１１７Ｃの配置関係は、カメラ１内部のＲＯＭ等に予め記録されているものとする。
【００５４】
図５には、撮像素子平面の座標軸ＸｃおよびＹｃが示されている。図６に撮像素子平面の座標系を示す。図５のカメラ座標系における注目点（ｋ＝ｋ２となる点においてｋ軸に直交する平面上に存在している）は、図６に示されるような（Ｘｃ，Ｙｃ）で表される撮像素子平面座標上の位置に変換することができる。図５、図６において撮像素子は縦３画素、横３画素であるとして説明したが、それに限定されるわけではない。
【００５５】
位置変換手段１１５は、レンズ状態とカメラ撮影状態（カメラの位置、方向および回転の情報）とに基づいて、フィールドの３次元空間の各位置とカメラ空間との関係を示す関係情報を生成する。位置検出センサ１１７Ａ〜１１７Ｃによって、そのフィールドにおける座標を検出することと、Ｌ，Ｍ，ｋ０の３つの既知情報と、各センサを結ぶ線が直交するなどの配置関係情報とに基づいて、図５中の原点やＣＣＤ１１１Ａの中心それぞれのフィールド座標を算出することができる。これにより、フィールド座標をカメラ座標の３次元空間に変換する［数１］で示される座標変換式（関係情報）を導くことができる。
【００５６】
【数１】
2005266520.tif 000003
【００５７】
図７は、注目点の位置座標よりフィールド座標、カメラ座標、撮像素子１１１（ＣＣＤ１１１Ａ）の画素平面座標の順に変換して、画素位置を算出する手順を示すフローチャートである。図７に示されるように、注目点のフィールド座標（Ｘ，Ｙ，Ｚ）を［数１］で示される形式の式によってカメラ座標（ｉ，ｊ，ｋ）に変換する（ステップＳ７０１）。続いて、カメラ座標（ｉ，ｊ，ｋ）より撮像倍率αをα＝ｋ／ｋ０として算出する（ステップＳ７０２）。ここで、ｋは、原点から注目点を含むｋ軸に垂直な平面のｋ軸上の距離であり、具体的にはｋ１、ｋ２などである。続いて、撮像素子１１１（ＣＣＤ１１１Ａ）の平面座標を（Ｘｃ×ｐｔ，Ｙｃ×ｐｔ，−ｋ０）として、画素を特定するＸｃおよびＹｃを算出する（ステップＳ７０３）。すなわち、Ｘｃ＝ｉ／α／ｐｔ、Ｙｃ＝１／α／ｐｔである。
【００５８】
図８は、図５の変形例を示している。関係情報を生成するためのキャリブレーションにおいて、位置検出センサ１１７Ａ〜１１７Ｄを、フィールド空間において、カメラの方向とは関係なく平行四辺形となるように配置し、それぞれのフィールド座標を検出する。例えば、サッカーグランドでの平行四辺形として、ゴールエリアの長方形の４隅に４つの位置検出センサ１１７Ａ〜１１７Ｄを配置すればよい。それによって、位置検出センサ１１７Ａ〜１１７Ｄによって得られるフィールド座標（Ｘ１，Ｙ１，Ｚ１）、（Ｘ２，Ｙ２，Ｚ２）、（Ｘ３，Ｙ３，Ｚ３）と各センサのＣＣＤ１１１Ａに撮像される像位置と、ｋ０、ｐｔ、ＣＣＤ１１１Ａの縦、横の画素数とに基づいて、［数１］の変換行列を算出することができる。
【００５９】
なお、図８においては、位置検出センサ１１７Ａ〜１１７Ｄを、長方形となるように配置したが、一般的には、平行四辺形を形成するように配置すればよい。
【００６０】
図９は、図５の他の変形例を示している。先の図５においては、３つの位置検出センサ１１７Ａ〜１１７Ｃをカメラ内部に備え、それによって、カメラの撮影軸、画像の回転、原点のフィールド座標を算出するようにし、最終的には、前述した［数１］を導き出すようにしている。この変形例においては、それに限定するものではなく、［数１］を導く別の方法を図９において説明する。
【００６１】
この変形例においては、ＣＣＤ１１１Ａの真後ろに、フィールド座標位置を検出することができる位置検出センサ１１７Ａを配置し、撮像領域内の中心に位置検出センサ１１７Ｂを移動させ（位置検出センサ１１７Ｂを装着した人を移動させる）、位置検出センサ１１７Ｂの位置検出を行う。
【００６２】
位置検出センサ１１７Ａから位置検出センサ１１７Ｂの方向がカメラの方向であることが分かる。また、その位置検出センサ１１７Ａと位置検出センサ１１７Ｂとの間に原点Ｏがあることが分かり、予め設計によって既知である位置検出センサ１１７Ａから距離ｋ６だけ離れた位置を、画角を規定する線の交点位置である原点Ｏとして、そのフィールド位置座標を算出することができる。
【００６３】
続いて、カメラの画像の回転方向を知るために、位置検出センサ１１７Ｃを、撮像領域内の中心の横方向にある所定の画素位置に配置されるように移動させる（位置検出センサ１１７Ｃを装着した人を移動させる）。これにより、位置検出センサ１１７Ｃのフィールド座標のｉ方向の距離ｉ’と、撮像された撮像素子平面での距離Ｘｃ’×ｐｔとの比として倍率αを算出することができる。
【００６４】
なお、図９はｋ３＝ｋ４の場合であるが、図９で示されるｋ３とｋ４とが一致しなくても、位置検出センサ１１７Ｂの点を通りｋ軸に垂直でｉ軸に平行な線を導き出せるので、位置検出センサ１１７Ｃのカメラからの距離が特に限定されるものではない。さらに、位置検出センサ１１７Ｃは、ｋ軸とｉ軸とを含む面内に配置されているとしているが、それに限定されるわけではない。回転を規定するために、センサ１１７Ｃはｋ軸とｉ軸とを含む面内になくてもよく、撮像領域内にあればよい。以上により、原点、撮像方向、および画像の回転の３つがフィールド座標系において算出可能となり、［数１］を導くことができる。
【００６５】
次に、複数の被写体の撮像例について説明する。ターゲットとなる複数の被写体には、それぞれ異なった識別番号が付与されたＧＰＳセンサが予め装着されている。図１０においては、識別番号がＧＰＳ３であるＧＰＳセンサ２０３を被写体２Ａが装着し、識別番号がＧＰＳ２であるＧＰＳセンサ２０２を被写体２Ｂが装着している。撮影においては、撮影したいシーンに合わせて、２人のいずれかにピントが合うようにすぐ調整することができるように予め準備する。この場合、例えばカメラ１のＧＰＳ登録／選択スイッチ１０３ａの表示番号１に対してＧＰＳ３（被写体２Ａ）を登録し、表示番号２に対してＧＰＳ２（被写体２Ｂ）を登録する。
【００６６】
図１０（ｂ）において、１１４ａはファインダ１１４の表示枠である。被写体２Ａが表示枠１１４ａ内に存在するような撮影の場面において、ユーザがＧＰＳ登録／選択スイッチ１０３ａを表示番号１の位置に合わせ、レリーズボタン１１６を半押しすると、ピントが被写体２ＡのＧＰＳセンサ２０３に合うように自動的に調整される。図１０に示されるように、ＧＰＳセンサ２０３は、表示枠１１４ａ内に四角形で表示されている。位置変換手段１１５は、ＧＰＳセンサ２０２および２０３のフィールド座標を前述したカメラ座標および撮像素子平面座標に変換することにより、画素内におけるＧＰＳセンサ２０２および２０３の表示位置を認識することができる。ＧＰＳセンサ２０２および２０３の撮像素子平面座標の座標値を表示してもよく、四角形に替えて矢印等のマークを表示してもよい。
【００６７】
また、図１０（ｂ）のように、表示枠１１４ａ内に被写体２Ａのみが表示されている場合に、ＧＰＳ登録／選択スイッチ１０３ａを表示番号２の位置に合わせ、レリーズボタン１１６を半押しすると、表示番号２に対応したＧＰＳセンサ２０２が撮像されない。そこで、被写体２ＢのＧＰＳセンサ２０２が表示枠１１４ａ内に収まるようにズーム倍率を変化させ、ＧＰＳセンサ２０２が撮像されるようになったところでズーム制御を止め、ＧＰＳセンサ２０２に対してピントが合うようにピント調整が行われる。
【００６８】
また、図１１のような撮影の場面においては、図１１（ｂ）に示されるように、被写体２Ａおよび２Ｂが表示枠１１４ａ内に存在している。この場合に、ユーザがＧＰＳ登録／選択スイッチ１０３ａを表示番号１の位置に合わせ、レリーズボタン１１６を半押しすると、ピントが被写体２ＡのＧＰＳセンサ２０２に合うように自動的に調整される。続いて、ＧＰＳ登録／選択スイッチ１０３ａを表示番号２の位置に合わせ、レリーズボタン１１６を半押しすると、ピントが被写体２ＢのＧＰＳセンサ２０３に合うように、自動的にすぐ調整される。このように、複数の被写体へのピント切り替えを高速に行う撮影の場合に、自動的に、高速に、かつ簡単に切り替えることができる。
【００６９】
なお、上記の例において、２つの被写体をターゲットとし、両方のターゲットに対して被写体深度等を考慮してピント制御等を行ってもよい。この際、位置情報入手手段１０６は、複数のＧＰＳセンサからのフィールド座標を選択して出力する。また、２つのターゲットのうちの１つのターゲットが表示枠１１４ａから外れてしまった場合は、もう一方のターゲットに自動的にピントを合わせるようにしてもよい。これらの場合、位置検出手段１１５によってターゲット（注目点）のフィールド座標と共に撮像素子平面座標を得ることができるので、ターゲットの画素位置を追尾して、ターゲットが撮像領域内にいるかどうかを判別するようにすればよい。
【００７０】
なお、ファインダ１１４がタッチセンサを備え、表示枠１１４ａに、登録された全てのＧＰＳセンサ２０２および２０３が表示され、表示されたＧＰＳセンサ２０２の近傍をユーザがタッチすると、タッチセンサがそれを認識するようにしてもよい。この場合、タッチセンサによって認識されたＧＰＳ２０２が選択され、ＧＰＳ２０２に対してピントが合うようにピント調整が行われる。
【００７１】
なお、本実施形態によるカメラ１は静止画カメラであるとして説明を行ったが、それに限定されるわけではなく、動画カメラであってもよい。この場合、レリーズボタン１１６に替えて、撮影のスタートおよびストップを指定するためのスタート／ストップスイッチを備え、ユーザによるスタート／ストップスイッチの操作に応じて撮影記録動作を行うように構成すればよい。
【００７２】
また、この場合のピント調整に関しては、撮影中にＧＰＳ登録／選択スイッチ１０３ａを切り替えることによって、異なった被写体に順次ピントを合わせるように調整することができ、さらに高速に被写体を切り替えることができる。従来の動画撮影においては、操作者がズーム倍率を変える操作をすることが多く、同時にピント調整を行うことは難しいという問題点があったが、本実施形態によれば、被写体の画面中の位置によらず、高速に簡単な操作でピントを調整することができる。
【００７３】
なお、ロータリースイッチ１０３を設けずに、識別番号入力手段１０１およびＧＰＳ識別番号登録手段１０２によって、１つのみのＧＰＳセンサを登録するようにしてもよい。この場合、前述した動作と同様に、撮影時には、予め登録されたＧＰＳに対してピントが合うようにピント調整が行われる。
【００７４】
なお、位置検出手段１１５によって、被写体が写った画素位置を検出することができるので、選択した被写体に対してピント調整を行うだけでなく、その近傍の画素を読み出して、その画素のデータに基づいて、露光時間や撮像回路のゲイン制御などのＡＩ（Ａｕｔｏ  Ｉｒｉｓ）調整を行うようにしてもよい。これにより、ターゲットとする被写体が明るいところにいる場合でも、暗いところにいる場合でも、最適なＡＩ制御を高速に行うことができる。
【００７５】
なお、本実施形態においては、撮像条件の制御に関してピント調整について述べたが、画角の調整（ズーム調整）を行ってもよい。例えば、図１０（ｂ）の説明でも述べたように、ユーザによって選択されたＧＰＳセンサが撮像素子１１１によって撮影された画像に含まれるように画角を調整すればよい。また、ストロボ発光も制御するようにしてもよい。さらに、それに伴って、露光量や回路のゲイン制御も同時に行うとよい。あるいは、雲台上でカメラ１を回転させ、被写体に対するカメラ１の向きを変えるようにしてもよい。
【００７６】
なお、被写体の位置を検出する手法として、本実施形態においては、被写体がＧＰＳセンサを装着するとして説明を行ったが、他の手法を用いてもよい。例えば、無線ＬＡＮやＲＦＩＤ（電波方式認識：Ｒａｄｉｏ  Ｆｒｅｑｕｅｎｃｙ−Ｉｄｅｎｔｉｆｉｃａｔｉｏｎ）タグ等を利用した電波や電磁波によって被写体の位置を検出するようにしてもよい。この場合には、被写体の影響が少なく、安定して被写体の位置を検出することができる。また、赤外線や超音波などの光や音を用いて被写体の位置を検出するようにしてもよい。
【００７７】
なお、本実施形態においては、被写体とカメラ１との両方がＧＰＳセンサを備えた場合を説明したが、これに限定されるわけではなく、例えば、カメラ１にはＧＰＳセンサを備えず、別途測定されたフィールド座標をＲＯＭ（Ｒｅａｄ  Ｏｎｌｙ  Ｍｅｍｏｒｙ）等に記憶し、カメラ１をその座標値が示す場所に固定するようにしてもよい。
【００７８】
なお、ピント調整の対象となる被写体は１つに限定されるわけではなく、複数であってもよい。例えば、ＧＰＳセンサの登録時に、５つのＧＰＳセンサが登録され、その中から２つが撮影時に選択されたとする。その２つのそれぞれのＧＰＳセンサを装着した、異なった被写体２人を対象として、ピントを調整するようにしてもよい。この場合、レンズ群１１０の他に絞り径を制御して被写界深度とピントとの両方を制御し、２人の被写体の両方にピントが合うようにピントを調整したり、２つの被写体の中間にピントが合うようにピントを調整したりすればよい。
【００７９】
また、撮像画像の明るさなどを考慮して、絞り径、ピント位置、およびＡＩの３つの調整を所望の状態に制御することができない場合には、カメラ１が備える図示せぬモニタにエラー表示を行うようにしてもよい。
【００８０】
以上で説明したように、本実施形態によれば、被写体に装着されたＧＰＳセンサ等の位置検出手段を撮影前に登録し、撮影時に、登録された位置検出手段によって検出された位置情報を選択し、その位置情報に基づいてピントや画角等の撮像条件を設定するようにしたので、撮像素子の撮像方向に依存せずに、撮像素子と被写体との相対的な距離を測定でき、的確に撮像条件の制御を行うことができる。
【００８１】
また、位置検出手段としてＧＰＳセンサを用いることにより、ＧＰＳセンサが被写体等によってカメラから見えない位置に隠れてしまっても、被写体の位置を検出することができる。
【００８２】
また、複数の位置検出手段を識別可能に登録すると共に、撮影時に特定の位置検出手段を選択することにより、予め登録された被写体の中から特定の被写体を自由に選択し、ピント等を調整して撮影を行うことができる。さらに、登録時に複数の位置検出手段を切り替えて登録すると共に、撮影時に複数の位置検出手段を切り替えて選択することができる登録／選択スイッチ１０３ａを設けることにより、複数の被写体を切り替えて撮影する場合に、ピント調整等の撮像条件を自動的に、高速に、かつ簡単に切り替えることができる。
【００８３】
また、レンズ状態とカメラ撮影状態（カメラの位置、方向および回転の情報）とに基づいて、フィールドの３次元空間の各位置とカメラ空間との関係を示す関係情報を生成することにより、被写体の注目点のフィールド座標に基づいて、注目点の撮像素子平面座標を算出することができる。これにより、注目点となる位置検出手段の画素位置をファインダ等に表示することができる。
【００８４】
以上、図面を参照して本発明の実施形態について詳述してきたが、具体的な構成はこれらの実施の形態に限られるものではなく、この発明の要旨を逸脱しない範囲の設計変更等も含まれる。
【図面の簡単な説明】
【００８５】
【図１】本発明の一実施形態による撮像装置の構成を示すブロック図である。
【図２】同実施形態におけるロータリースイッチ１０３の構成例を説明するためのカメラ１の概観図である。
【図３】同実施形態によるカメラ１の動作を示すフローチャートである。
【図４】同実施形態におけるフィールド空間とカメラ１の撮像領域との相互関係を示す参考図である。
【図５】同実施形態における座標変換例を説明するための参考図である。
【図６】同実施形態における撮像素子平面座標を示す参考図である。
【図７】同実施形態においてフィールド座標から画素位置を算出する手順を示すフローチャートである。
【図８】同実施形態における他の座標変換例を説明するための参考図である。
【図９】同実施形態における他の座標変換例を説明するための参考図である。
【図１０】同実施形態における複数の被写体の撮像例を説明するための参考図である。
【図１１】同実施形態における複数の被写体の撮像例を説明するための参考図である。
【符号の説明】
【００８６】
１・・・カメラ、２Ａ，２Ｂ・・・被写体、３・・・基地局、１０１・・・識別番号入力手段、１０２・・・ＧＰＳ識別番号登録手段（登録手段）、１０３・・・ロータリースイッチ、１０３ａ・・・ＧＰＳ登録／選択スイッチ、１０３ｂ・・・選択スイッチ部、１０４・・・ＧＰＳ識別番号選択手段（第２の選択手段）、１０５・・・無線入力手段（取得手段）、１０６・・・位置情報入手手段（第１の選択手段）、１０７・・・ＧＰＳセンサ、１０８・・・距離算出部、１０９・・・ピント制御手段（撮像条件制御手段）、１１０・・・レンズ群、１１０Ａ・・・レンズ、１１１・・・撮像素子、１１１Ａ・・・ＣＣＤ、１１２・・・出力手段、１１３・・・駆動手段、１１４・・・ファインダ（表示手段）、１１４ａ・・・表示枠、１１５・・・位置変換手段、１１６・・・レリーズボタン、１１７Ａ，１１７Ｂ，１１７Ｃ，１１７Ｄ・・・位置検出センサ、２０１，２０２，２０３・・・ＧＰＳセンサ。
【図１】
2005266520.tif 000004
【図２】
2005266520.tif 000005
【図３】
2005266520.tif 000006
【図４】
2005266520.tif 000007
【図５】
2005266520.tif 000008
【図６】
2005266520.tif 000009
【図７】
2005266520.tif 000010
【図８】
2005266520.tif 000011
【図９】
2005266520.tif 000012
【図１０】
2005266520.tif 000013
【図１１】
2005266520.tif 000014